(57)【要約】【目的】  本発明の目的は、外部から衝撃等が加えられたとしても、アクチュエータが回動し難く、フレキシブル基板の接点とコンタクトの接点部との安定した電気的導通を図ることができるフレキシブル基板用コネクタを提供する。【構成】  アクチュエータ４００は、第２のコンタクト３００の第２の回動支持部３２０の先端部上に当接する第２のカム部４３０を有しており、第２のコンタクト３００の第２の回動支持部３２０は弾性を有した略直線状の部材であり且つアクチュエータ４００の第２のカム部４３０を付勢し、これにより閉状態付近の位置に位置する当該アクチュエータ４００を閉状態付近の位置で閉方向に向けて回動させるようになっている。【選択図】      図５
2006100057.tif 000002
【特許請求の範囲】
【請求項１】
フレキシブル基板を挿脱するための開口を有するボディと、このボディの内部に装着される部材であって、挿入されたフレキシブル基板の下方に位置し当該フレキシブル基板の下面の接点に接触可能な接点部と当該フレキシブル基板の上方に位置する回動支持部とを有するコンタクトと、前記ボディに回動可能に保持されており且つ回動に応じて前記ボディの開口を開閉可能に閉塞するアクチュエータとを具備したフレキシブル基板用コネクタにおいて、前記アクチュエータは、前記コンタクトの回動支持部の先端部上に当接するカム部を有しており、前記コンタクトの回動支持部は弾性を有した略直線状の部材であり且つ前記アクチュエータのカム部を上方に付勢し、これにより閉状態付近の位置に位置する当該アクチュエータを閉方向に向けて回動させるようになっていることを特徴とするフレキシブル基板用コネクタ。
【請求項２】
フレキシブル基板を挿脱するための開口を有するボディと、このボディの内部に装着される部材であって、挿入されたフレキシブル基板の下方に位置し当該フレキシブル基板の下面の接点に接触可能な第１の接点部と当該フレキシブル基板の上方に位置する第１の回動支持部とを有する第１のコンタクトと、前記ボディの内部に装着される部材であって、前記フレキシブル基板の下面の接点に接触可能な第２の接点部と当該フレキシブル基板の上面側に位置する第２の回動支持部とを有する第２のコンタクトと、前記ボディに回動可能に保持されており且つ回動に応じて当該ボディの開口を開閉可能に閉塞するアクチュエータとを具備したフレキシブル基板用コネクタにおいて、前記アクチュエータは、前記第１、第２のコンタクトの第１、第２の回動支持部の先端部に支持される第１、第２のカム部を有しており、前記第１、第２のコンタクトの第１、第２の回動支持部は弾性を有しており、前記第１のコンタクトの第１の回動支持部は、前記アクチュエータの第１のカム部に上方向から当接し、これにより当該第１のカム部を下方に向けて付勢する一方、前記第２のコンタクトの第２の回動支持部は、前記アクチュエータの第２のカム部に下方から当接し、これにより当該第２のカム部を上方向に向けて付勢するようになっていることを特徴とするフレキシブル基板用コネクタ。
【請求項３】
請求項１記載のフレキシブル基板用コネクタにおいて、前記回動支持部の先端部には、前記アクチュエータのカム部を係止する上方に向けて凸の係止片が設けられていることを特徴とするフレキシブル基板用コネクタ。
【請求項４】
請求項２記載のフレキシブル基板用コネクタにおいて、前記第２の回動支持部の先端部には、前記アクチュエータの第２のカム部を係止する上方に向けて凸の係止片が設けられていることを特徴とするフレキシブル基板用コネクタ。
【発明の詳細な説明】
【技術分野】
【０００１】
本発明は、フレキシブル基板と電気的且つ機械的に接続されるフレキシブル基板用コネクタに関する。
【背景技術】
【０００２】
この種のフレキシブル基板用コネクタは、フレキシブル基板を挿脱するための開口を有するボディと、このボディの内部に装着される部材であって、挿入されたフレキシブル基板の下方に位置し当該フレキシブル基板の下面の接点に接触可能な接点部と当該フレキシブル基板の上方に位置する回動支持部とを有するコンタクトと、前記ボディに回動可能に保持されており且つ回動に応じて当該ボディの開口を開閉可能に閉塞するアクチュエータとを具備した基本構成となっている。
【０００３】
このフレキシブル基板用コネクタとしては、二種類のカム部が設けられたアクチュエータと、ボディの内部に各々装着された二種類のコンタクトとを備え、このコンタクトが前記カム部に各々支持されることにより、フレキシブル基板が外れるのを防止するようにしたものがある( 特許文献１及び２参照) 。
【０００４】
【特許文献１】特許第３２９５８０８号公報
【特許文献２】特許第３５１３７５１号公報
【発明の開示】
【発明が解決しようとする課題】
【０００５】
ところが、前記二種類のコンタクトは、双方とも当該アクチュエータのカム部を上方から支持している。このため、外部の衝撃等によりアクチュエータが回動し、これによりフレキシブル基板が位置ずれすることがある。フレキシブル基板が位置ずれすると、当該フレキシブル基板の接点と前記コンタクトの接点部との電気的導通が不安定になる可能性がある。
【０００６】
本発明は、上記事情に鑑みて創案されたものであって、その目的とするところは、外部から衝撃等によるアクチュエータの回動を防止し、フレキシブル基板の接点とコンタクトの接点部との安定した電気的導通を図ることができるフレキシブル基板用コネクタを提供することにある。
【課題を解決するための手段】
【０００７】
上記課題を解決するために、本発明のフレキシブル基板用コネクタは、フレキシブル基板を挿脱するための開口を有するボディと、このボディの内部に装着される部材であって、挿入されたフレキシブル基板の下方に位置し当該フレキシブル基板の下面の接点に接触可能な接点部と当該フレキシブル基板の上方に位置する回動支持部とを有するコンタクトと、前記ボディに回動可能に保持されており且つ回動に応じて前記ボディの開口を開閉可能に閉塞するアクチュエータとを具備したフレキシブル基板用コネクタであって、前記アクチュエータは、前記コンタクトの回動支持部の先端部上に当接するカム部を有しており、前記コンタクトの回動支持部は弾性を有した略直線状の部材であり且つ前記アクチュエータのカム部を上方に付勢し、これにより閉状態付近の位置に位置する当該アクチュエータを閉方向に向けて回動させるようになっていることを特徴としている。
【０００８】
前記回動支持部の先端部には、前記アクチュエータのカム部を係止する上方に向けて凸の係止片が設けられていることが好ましい。
【０００９】
本発明の別のフレキシブル基板用コネクタは、フレキシブル基板を挿脱するための開口を有するボディと、このボディの内部に装着される部材であって、挿入されたフレキシブル基板の下方に位置し当該フレキシブル基板の下面の接点に接触可能な第１の接点部と当該フレキシブル基板の上方に位置する第１の回動支持部とを有する第１のコンタクトと、前記ボディの内部に装着される部材であって、前記フレキシブル基板の下面の接点に接触可能な第２の接点部と当該フレキシブル基板の上面側に位置する第２の回動支持部とを有する第２のコンタクトと、前記ボディに回動可能に保持されており且つ回動に応じて当該ボディの開口を開閉可能に閉塞するアクチュエータとを具備したフレキシブル基板用コネクタであって、前記アクチュエータは、前記第１、第２のコンタクトの第１、第２の回動支持部の先端部に支持される第１、第２のカム部を有しており、前記第１、第２のコンタクトの第１、第２の回動支持部は弾性を有しており、前記第１のコンタクトの第１の回動支持部は、前記アクチュエータの第１のカム部に上方向から当接し、これにより当該第１のカム部を下方に向けて付勢する一方、前記第２のコンタクトの第２の回動支持部は、前記アクチュエータの第２のカム部に下方から当接し、これにより当該第２のカム部を上方向に向けて付勢するようになっていることを特徴としている。
【００１０】
前記第２の回動支持部の先端部には、前記アクチュエータの第２のカム部を係止する上方に向けて凸の係止片が設けられていることが好ましい。
【発明の効果】
【００１１】
本発明の請求項１に係るフレキシブル基板用コネクタによる場合、コンタクトの回動支持部が弾性を有した略直線状の部材であり且つ前記アクチュエータのカム部を上方に付勢し、これにより閉状態付近の位置に位置する当該アクチュエータを閉方向に向けて回動させるようになっている。このため、アクチュエータが閉状態であるときに、外部から衝撃などが加えられ、当該アクチュエータが回動しようとしたとしても、このアクチュエータの回動動作が前記回動支持部の弾性変形により吸収される。よって、アクチュエータの回動を防止でき、アクチュエータの回動によりフレキシブル基板が位置ずれするのを防止することができる。その結果、フレキシブル基板の接点とコンタクトの接点部との安定した電気的導通を図ることができる。
【００１２】
本発明の請求項２に係るフレキシブル基板用コネクタによる場合、第２のコンタクト部の第２の回動支持部がアクチュエータの第２のカム部を上方向に向けて付勢するようになっている。よって、請求項１と同様の効果を得ることができる。しかも、第１のコンタクトの第１の回動支持部がアクチュエータの第１のカム部を下方向に向けて付勢する一方、第２のコンタクトの第２の回動支持部がアクチュエータの第２のカム部を上方向に向けて付勢するようになっている。即ち、二種類のコンタクトを用いてアクチュエータのカム部を上下から挟み込むようにしたことから、外部から衝撃等によるアクチュエータの脱落を防止できる。この結果、更にフレキシブル基板の接点とコンタクトの接点部との安定した電気的導通を図ることができる。
【００１３】
本発明の請求項３に係るフレキシブル基板用コネクタによる場合、回動支持部の先端部に設けられた上方に向けて凸の係止片がアクチュエータのカム部を係止するようになっている。このため、外部からの衝撃等によるアクチュエータのフレキシブル基板の脱方向への位置ずれが防止されるので、アクチュエータの位置ずれに伴うフレキシブル基板の脱方向の位置ずれを防止することができる。よって、この点でもフレキシブル基板の接点とコンタクトの接点部との安定した電気的導通を図ることができる。
【００１４】
本発明の請求項４に係るフレキシブル基板用コネクタによる場合、請求項３と同様の効果を得ることができる。
【発明を実施するための最良の形態】
【００１５】
以下、本発明の実施の形態に係るフレキシブル基板用コネクタについて図面を参照しながら説明する。図１は本発明の実施の形態に係るフレキシブル基板用コネクタの分解斜視図、図２は同コネクタを示す図であって、( ａ) が平面図、( ｂ）が正面図、( ｃ）が底面図、図３は同コネクタの図２の( ｂ) のＡ−Ａ断面図であって、( ａ) がアクチュエータが開状態を示す図、( ｂ）がアクチュエータが閉状態を示す図、図４は同コネクタの図２の( ｂ) のＢ−Ｂ断面図であって、( ａ) がアクチュエータが開状態を示す図、( ｂ）がアクチュエータが閉状態を示す図、図５は同コネクタのＢ−Ｂ断面図であって、( ａ) がアクチュエータの開状態付近に位置した状態を示す図、( ｂ）がアクチュエータの回動途中の状態を示す図、( ｃ）がアクチュエータが閉状態付近に位置した状態を示す図、図６は同コネクタの第１のコンタクトを示す図であって、( ａ) が正面図、( ｂ）が斜視図、図７は同コネクタの第２のコンタクトを示す図であって、( ａ) が正面図、( ｂ）が斜視図、図８は同コネクタのアクチュエータを示す図であって、( ａ) が正面図、( ｂ）が底面図、( ｃ）が背面図、( ｄ）が平面図である。
【００１６】
図１及び図２に示すフレキシブル基板用コネクタは、フレキシブル基板１０( 図３、図４及び図５参照) を挿脱するための開口１０１を有するボディ１００と、このボディ１００の内部に装着される部材であって、挿入されたフレキシブル基板１０の下方に位置し当該フレキシブル基板１０の下面の接点( 図示せず) に接触可能な第１の接点部２１０と当該フレキシブル基板１０の上方に位置する第１の回動支持部２２０とを有する第１のコンタクト２００と、ボディ１００の内部に装着され、第１のコンタクト２００と隣り合う部材であって、フレキシブル基板１０の下面の接点に接触可能な第２の接点部３１０と当該フレキシブル基板１０の上面側に位置する第２の回動支持部３２０とを有する第２のコンタクト３００と、ボディ１００に回動可能に保持されており且つ回動に応じてボディ１００の開口１０１を開閉可能に閉塞するアクチュエータ４００とを具備している。以下、各部を詳しく説明する。
【００１７】
ボディ１００は図示しない基板に実装される樹脂製の成形品である。このボディ１００は一端部の上端部に開口１０１が開設されている一方、他端部に開口１０２が開設されている。ボディ１００の内部には第１、第２のコンタクト２００、３００が装着される装着部１１０が設けられている。また、ボディ１００の開口１０１の開口縁部には、アクチュエータ４００の回動軸部４１０、４１０が嵌まり込む凹部１２０、１２０が設けられている。
【００１８】
アクチュエータ４００は、図８に示すように、樹脂製の成形品であり、幅方向の両端部に回動軸部４１０、４１０が設けられている。この回動軸部４１０、４１０がボディ１００の凹部１２０、１２０に嵌まり込むことにより、アクチュエータ４００は開状態の位置( 図３( ａ) 及び図４( ａ) 参照) から閉状態の位置( 図３( ｂ) 及び図４( ｂ) 参照) にかけて当該ボディ１００に回動可能に保持される。
【００１９】
アクチュエータ４００の下端部には、第１、第２のコンタクト２００、３００の第１、第２の回動支持部２２０、３２０に支持される第１、第２のカム部４２０、４３０が長さ方向にわたって交互に設けられている。第１のカム部４２０は、図３に示すように、略矩形状の部材であり、第１の回動支持部２２０が上方から当接し、下方に付勢される。この第１のカム部４２０は、アクチュエータ４００が閉状態のときに、第１の回動支持部２２０の係止片２２１に係止される( 図３( ｂ) 参照) 。
【００２０】
第２のカム部４３０は、図４に示すように、アクチュエータ４００の本体と連なる逆Ｌ字状の部材であり、第２の回動支持部３２０が下方から当接し、上方に向けて付勢される。この第２のカム部４３０の回動支持部当接面は、図４( ａ) に示すように、第２の回動支持部３２０に当接した状態でアクチュエータ４００が開方向に傾くように傾斜している。
【００２１】
この第２のカム部４３０は、アクチュエータ４００が閉状態及び回動状態のときに、第２の回動支持部３２０の係止片３２１に係止される。この第２のカム部４３０は、アクチュエータ４００本体との間に凹部４３１が形成される。この凹部４３１が、アクチュエータ４００が閉状態のときに、第２のコンタクト３００の第２の回動支持部３２０の係止片３２１に係止される。
【００２２】
更に、アクチュエータ４００の前面には、閉状態のときに、フレキシブル基板１０を下方に押圧する圧接部４４０が設けられている。このように圧接部４４０でフレキシブル基板１０を押圧し、これによりフレキシブル基板１０を第１、第２のコンタクト２００、３００の第１、第２の接点部２１０、３１０に圧接させ、フレキシブル基板１０の接点と第１、第２の接点部２１０、３１０との安定した電気的導通を図っている。
【００２３】
第１のコンタクト２００は、図３及び図６に示すように、銅合金等で構成される導電性を有する略コ字状の部品であって、ボディ１００の装着部１１０に嵌まり込む基部２３０と、この基部２３０の一端部の下端部に連なり且つ上方に向けて傾斜した略直線状の第１の接点部２１０と、基部２３０の一端部の上端部に連なる略直線状の第１の回動支持部２２０と、基部２３０の他端部の下端部に下方に向けて凸設された接続部２４０とを有している。
【００２４】
第１の接点部２１０は弾性を有する部材であり、その先端部が上方に凸となっている。この第１の接点部２１０の先端部がフレキシブル基板１０の接点に接触する。第１の回動支持部２２０は弾性を有する部材である。この第１の回動支持部２２０は、先端部がアクチュエータ４００の第１のカム部４２０に上方から当接し、これにより第１のカム部４２０を下方に向けて付勢する。この第１の回動支持部２２０の先端部は下方に凸となっている。この凸部が、アクチュエータ４００が閉状態のときに、アクチュエータ４００の第１のカム部４２０を係止する係止片２２１となる( 図３( ｂ）参照) 。接続部２４０はボディ１００から突出し、当該ボディ１００が実装される基板に電気接続される。
【００２５】
第２のコンタクト３００は、図４及び図７に示すように、銅合金等で構成される導電性を有する部品であって、ボディ１００の装着部１１０に嵌まり込む略コ字状の基部３３０と、この基部３３０の下側端部の上端部に連なり且つ上方に向けて傾斜した略直線状の第２の接点部３１０と、基部３３０の下側端部の下端部から下方に向けて凸設された接続部３４０と、基部３３０の上側端部に連なる略Ｌ字状の第２の回動支持部３２０とを有している。
【００２６】
第２の接点部３１０は弾性を有する部材であり、その先端部が上方に凸となっている。この第２の接点部３１０の先端部がフレキシブル基板１０の接点に接触する。接続部３４０はボディ１００から突出し、当該ボディ１００が実装される基板に電気接続される。
【００２７】
第２の回動支持部３２０は弾性を有する部材であり、その先端部の一部が上方に向けて凸の凸部が設されている。この第２の回動支持部３２０は先端部の凸部以外の部分がアクチュエータ４００の第２のカム部４３０に下方から当接し、これにより第２のカム部４３０を上方に向けて付勢する。この第２の回動支持部３２０は、図５に示すように、アクチュエータ４００が開状態付近の位置で第２のカム部４３０の回動支持部当接面を上方に付勢し、これによりアクチュエータ４００を開方向に回動させる一方、閉状態付近の位置で第２のカム部４３０の回動支持部当接面を上方に付勢し、これによりアクチュエータ４００を閉方向に回動させるようになっている。また、第２の回動支持部３２０の先端部の凸部がアクチュエータ４００の第２のカム部４３０を係止し、これにより当該アクチュエータ４００のフレキシブル基板の脱方向への位置ずれを防止する係止片３２１となる( 図４( ｂ）参照) 。
【００２８】
このような構成のフレキシブル基板用コネクタは、次のようにして組み立てられる。まず、第２のコンタクト３００をボディ１００の開口１０１から挿入し、当該ボディ１００に装着する。そして、アクチュエータ４００をボディ１００に取り付ける。すると、アクチュエータ４００の第２のカム部４３０が第２の回動支持部３２０の先端部上に載置される( 即ち、当接する) 。その後、第１のコンタクト２００をボディ１００の開口１０２から第２のコンタクト３００とボディ１００の長さ方向に交互に配置されるように挿入し、当該ボディ１００に装着する。すると、第１の回動支持部２２０の先端部がアクチュエータ４００の第１のカム部４２０に上方から当接する。このようにして、アクチュエータ４００のカム部が第１、第２のコンタクト２００、３００の第１、第２の回動支持部２２０、３２０に上下方向から挟み込まれる。
【００２９】
このように組み立てられたフレキシブル基板用コネクタは、アクチュエータ４００を開状態とし、フレキシブル基板１０をボディ１００の開口１０１に挿入する。その後、アクチュエータ４００を開状態の位置から閉状態の位置にかけて回動させる。このとき、アクチュエータ４００の第２のカム部４３０が、図５に示すように、第２のコンタクト２００の第２の回動支持部３２０を下方に押圧し、これにより第２の回動支持部３２０を下方に弾性変形させる。このように第２の回動支持部３２０を弾性変形させることによりアクチュエータ４００が回動可能になる。
【００３０】
アクチュエータ４００が閉状態になると、第１のコンタクト２００の第１の回動支持部２２０の係止片２２１がアクチュエータ４００の第１のカム部４２０を係止する( 図３( ｂ）参照) 一方、第２のコンタクト３００の第２の回動支持部３２０の係止片３２１がアクチュエータ４００の第２のカム部４３０の凹部４３１に係合される( 図４( ｂ）参照) 。と同時に、アクチュエータ４００の圧接部４４０がフレキシブル基板１０を下方に向けて押圧し、これによりフレキシブル基板１０の接点が第１、第２のコンタクト２００、３００の第１、第２の接点部２１０、３１０に圧接される。このようにしてフレキシブル基板１０の接点と第１、第２のコンタクト２００、３００の第１、第２の接点部２１０、３１０との安定した電気的導通を図る。
【００３１】
フレキシブル基板１０をボディ１００から取り外す場合には、アクチュエータ４００を閉状態の位置から開状態の位置にかけて回動させる。このときもアクチュエータ４００を開状態の位置から閉状態の位置にかけて回動させた場合と同様に、アクチュエータ４００の第２のカム部４３０で第２のコンタクト２００の第２の回動支持部３２０を下方に押圧し、これにより第２の回動支持部３２０を下方に弾性変形させることが必要になる。アクチュエータ４００が開状態になると、フレキシブル基板１０を取り外すことが可能になる。
【００３２】
このようなフレキシブル基板用コネクタによる場合、アクチュエータ４００が図５( ａ) に示すように開状態付近に位置するときには、第２の回動支持部３２０により第２のカム部４３０の傾斜した回動支持部当接面が上方に付勢され、これによりアクチュエータ４００を開方向( 図示矢印方向) に回動させる。一方、アクチュエータ４００が図５( ｃ) に示すように閉状態付近に位置するときには、第２の回動支持部３２０により逆Ｌ字状の第２のカム部４３０が上方に付勢され、これによりアクチュエータ４００を閉方向( 図示矢印方向) に回動させるようになっている。このため、アクチュエータ４００が開状態又は閉状態であるときに、外部から衝撃等が加えられ、アクチュエータ４００が閉方向又は開方向に回動しようとしたとしても、このアクチュエータ４００の回動は第２の回動支持部３２０の弾性変形により吸収され、防止される。即ち、アクチュエータ４００の回動によるフレキシブル基板１０の位置ずれを防止することができるので、フレキシブル基板１０の接点と第１、第２のコンタクト２００、３００の第１、第２の接点部２１０、３１０との安定した電気的導通を図ることができる。
【００３３】
しかも、第１、第２のコンタクト２００、３００の第１、第２の回動支持部２２０、３２０によりアクチュエータ４００のカム部が上下方向から挟み込まれるようになっている。これにより、上下方向からの外部からの衝撃等によりアクチュエータ４００の脱落を防止することができる。更に、アクチュエータ４００が開状態、回動状態であるときには、当該アクチュエータ４００の第２のカム部４３０が第２のコンタクト３００の第２の回動支持部３２０の係止片３２１に係止される。アクチュエータ４００が閉状態であるときに、当該アクチュエータ４００の第１のカム部４２０が第１のコンタクト２００の第１の回動支持部２２０の係止片２２１に係止される一方、当該アクチュエータ４００の第２のカム部４３０の凹部４３１が第２のコンタクト３００の第２の回動支持部３２０の係止片３２１に係止される。このようにして外部から衝撃によるアクチュエータ４００のフレキシブル基板の脱方向の位置ずれを防止することができる。上述のとおり、外部からの衝撃等によりアクチュエータ４００が脱落したり位置ずれたりするのを防止することができるので、これに伴うフレキシブル基板１０の位置ずれを防止することができる。よって、この点でもフレキシブル基板１０の接点と第１、第２のコンタクト２００、３００の第１、第２の接点部２１０、３１０との安定した電気的導通を図ることができる。
【００３４】
このフレキシブル基板用コネクタについては、第１、第２のコンタクト２００、３００を備えるとしたが、少なくとも第２のコンタクト３００を備えていれば良い。この場合、アクチュエータ４００には、第２のコンタクト３００の第２の回動支持部３２０の先端部上に当接するカム部が設けられていれば良い。
【００３５】
第１、第２のコンタクト２００、３００の双方を用いる場合には、第１、第２のコンタクト２００、３００の第１、第２の回動支持部２２０、３２０が弾性を有しており、第１のコンタクト２００の第１の回動支持部２２０は、アクチュエータ４００の第１のカム部４２０に上方向から当接し、これにより当該第１のカム部４２０を下方に向けて付勢する一方、第２のコンタクト３００の第２の回動支持部３２０は、アクチュエータ４００の第２のカム部４３０に下方から当接し、これにより当該第２のカム部４３０を上方向に向けて付勢するようになっている限りどのような設計変形を行ってもかまわない。この場合には、第２のコンタクト３００の第２の回動支持部３２０については、アクチュエータ４００の回動に応じてアクチュエータ４００の第２のカム部４３０に押圧され、これにより弾性変形する構成となっていないくても良い。
【００３６】
第１、第２のコンタクト２００、３００の第１、第２の回動支持部２２０、３２０には、先端部に係止片２２１、３２１が設けられているとしたが、設けるか否かは任意である。
【００３７】
ボディ１００、アクチュエータ４００、第１、第２のコンタクト２００、３００の形状については、上記機能を実現できる限り、どのように設計変更しても良い。
【図面の簡単な説明】
【００３８】
【図１】本発明の実施の形態に係るフレキシブル基板用コネクタの分解斜視図である。
【図２】同コネクタを示す図であって、( ａ) が平面図、( ｂ）が正面図、( ｃ）が底面図である。
【図３】同コネクタの図２の( ｂ) のＡ−Ａ断面図であって、( ａ) がアクチュエータが開状態を示す図、( ｂ）がアクチュエータが閉状態を示す図である。
【図４】同コネクタの図２の( ｂ) のＢ−Ｂ断面図であって、( ａ) がアクチュエータが開状態を示す図、( ｂ）がアクチュエータが閉状態を示す図である。
【図５】同コネクタのＢ−Ｂ断面図であって、( ａ) がアクチュエータの開状態付近に位置した状態を示す図、( ｂ）がアクチュエータの回動途中の状態を示す図、( ｃ）がアクチュエータが閉状態付近に位置した状態を示す図、である。
【図６】同コネクタの第１のコンタクトを示す図であって、( ａ) が正面図、( ｂ）が斜視図である。
【図７】同コネクタの第２のコンタクトを示す図であって、( ａ) が正面図、( ｂ）が斜視図である。
【図８】同コネクタのアクチュエータを示す図であって、( ａ) が正面図、( ｂ）が底面図、( ｃ）が背面図、( ｄ）が平面図である。
【符号の説明】
【００３９】
１００  ボディ
１０１  開口
２００  第１のコンタクト
２１０  第１の接点部
２２０  第１の回動支持部
３００  第２のコンタクト
３１０  第２の接点部
３２０  第２の回動支持部
４００  アクチュエータ
４２０  第１のカム部
４３０  第２のカム部
１０    フレキシブル基板
【図１】
2006100057.tif 000003
【図２】
2006100057.tif 000004
【図３】
2006100057.tif 000005
【図４】
2006100057.tif 000006
【図５】
2006100057.tif 000007
【図６】
2006100057.tif 000008
【図７】
2006100057.tif 000009
【図８】
2006100057.tif 000010